(57)【要約】      （修正有）【課題】幕板の設計の自由度を高めることができるフラップ天板付家具を提供する。【解決手段】支柱１１の下端部から前脚を前方に延出させた左右の脚体１Ａと、これらの脚体１Ａ上に主軸３７を介して配設され主軸３７まわりに天板２使用姿勢から跳ね上げ姿勢までの間でフラップ動作する天板２と、天板２の反使用端側に支持され天板２のフラップ動作に伴って幕板６１使用姿勢から収納姿勢までの間で作動する幕板６１とを備えたフラップ天板付家具であって、幕板６１が、左右両端部を左右の脚体１Ａの前脚上に延在させたものであり、幕板６１を主軸３７を中心にした円弧軌道から外れた軌道に沿って移動する連結要素８６を介して天板２に支持させた。【選択図】図１１
2015089425.tif 000002
【特許請求の範囲】
【請求項１】
支柱の下端部から前脚を前方に延出させた左右の脚体と、これらの脚体上に主軸を介して配設され前記主軸まわりに天板使用姿勢から跳ね上げ姿勢までの間でフラップ動作する天板と、この天板の反使用端側に支持され前記天板のフラップ動作に伴って幕板使用姿勢から収納姿勢までの間で作動する幕板とを備えたフラップ天板付家具であって、
前記幕板が、左右両端部を前記左右の脚体の前脚上に延在させたものであり、この幕板を前記主軸を中心にした円弧軌道から外れた軌道に沿って移動する連結要素を介して前記天板に支持させたことを特徴とするフラップ天板付家具。
【請求項２】
前記連結要素が、前記天板と前記幕板とを回転及びスライド可能に連結するピン状のものである請求項１記載のフラップ天板付家具。
【請求項３】
前記連結要素が、前記天板に固定された天板側ブラケットと、前記幕板に固定された幕板側ブラケットとを連結するピン状のものであり、前記天板側ブラケットに前記連結要素の略上下方向の遊動を許容する長孔を設けている請求項１または２記載のフラップ天板付家具。
【請求項４】
前記連結要素が、前記天板に固定された天板側ブラケットと、前記幕板に固定された幕板側ブラケットとを連結するピン状のものであり、前記幕板側ブラケットに前記連結要素の幕板厚み方向への遊動を許容する逃げ孔を設けている請求項１、２または３記載のフラップ天板付家具。
【発明の詳細な説明】
【技術分野】
【０００１】
本発明は、幕板を備えたフラップ天板付家具に関するものである。
【背景技術】
【０００２】
従来、支柱の下端部から前脚を前方に延出させた左右の脚体と、これらの脚体上に主軸を介して配設され前記主軸まわりに天板使用姿勢から跳ね上げ姿勢までの間でフラップ動作する天板と、この天板の反使用端側に支持され前記天板のフラップ動作に伴って幕板使用姿勢から収納姿勢までの間で作動する幕板とを備えたフラップテーブルが知られている（例えば、特許文献１を参照）。
【０００３】
このフラップテーブルは、天板の反使用端側に基端が固定されたリンクステーと、このリンクステーの先端に設けられたピン状の連結要素と、この連結要素を回転可能に支持するべく前記幕板の上端側に設けられた取付台座とを備えている。そして、天板の天板使用姿勢から跳ね上げ姿勢まで移動する動きが、前述したリンクステー、連結要素、及び取付台座を介して幕板の幕板使用姿勢から収納姿勢まで移動する動きへと変えられる。その際、従来のものは、連結要素が前記主軸を中心にした円弧軌道を通るように規制されていた。
【０００４】
ところで、このようなフラップテーブルにおいて、幕板の上下寸法を大きくして、下肢空間の前面を大きく隠したいという要望がある。しかしながら、幕板の上下寸法を大きくすると、前脚の上面と収納姿勢にある幕板の下端とが干渉しやすくなる。そして、幕板の下端側が脚上に当接すると、幕板と脚体とを接続するリンクステーに無理な力がかかり、さらにこのような状態で、このフラップテーブル自体を動かしたり、外部から衝撃が加わったりすると、この脚体に当接する幕板の下端部が破損したり変形したりするおそれがある。
【０００５】
このような事情により、幕板の上下方向寸法を短くせざるを得なかったという問題があった。
【先行技術文献】
【特許文献】
【０００６】
【特許文献１】特開平１１−１５５６４１号公報
【発明の概要】
【発明が解決しようとする課題】
【０００７】
本発明は、上述した事情に鑑み、幕板の設計の自由度を高めることができるフラップ天板付家具を提供することを目的とする。
【課題を解決するための手段】
【０００８】
本発明は、以上のような課題を解決するために、次のような構成を採用したものである。すなわち、本発明に係るフラップ天板付家具は、支柱の下端部から前脚を前方に延出させた左右の脚体と、これらの脚体上に主軸を介して配設され前記主軸まわりに天板使用姿勢から跳ね上げ姿勢までの間でフラップ動作する天板と、この天板の反使用端側に支持され前記天板のフラップ動作に伴って幕板使用姿勢から収納姿勢までの間で作動する幕板とを備えたものであって、前記幕板が、左右両端部を前記左右の脚体の前脚上に延在させたものであり、この幕板を前記主軸を中心にした円弧軌道から外れた軌道に沿って移動する連結要素を介して前記天板に支持させたことを特徴とする。
【０００９】
前記連結要素は、前記天板と前記幕板とを回転及びスライド可能に連結するピン状のものが好ましい。
【００１０】
前記連結要素の好適な一態様としては、前記天板に固定された天板側ブラケットと、前記幕板に固定された幕板側ブラケットとを連結するピン状のものであり、前記天板側ブラケットに前記連結要素の略上下方向の遊動を許容する長孔を設けているものが挙げられる。
【００１１】
また、前記連結要素が、前記天板に固定された天板側ブラケットと、前記幕板に固定された幕板側ブラケットとを連結するピン状のものであり、前記幕板側ブラケットに前記連結要素の幕板厚み方向への遊動を許容する逃げ孔を設けているものが好ましい。
【発明の効果】
【００１２】
本発明は、以上のような構成であるから、幕板の設計の自由度を高めることができるフラップ天板付家具を提供することができる。
【図面の簡単な説明】
【００１３】
【図１】本発明の一実施形態にかかるフラップ天板付家具の外観斜視図。
【図２】同実施形態にかかるフラップ天板付家具（使用姿勢）の正面図。
【図３】同実施形態にかかるフラップ天板付家具（使用姿勢）の背面図。
【図４】同実施形態にかかるフラップ天板付家具（使用姿勢）の底面図。
【図５】同実施形態にかかるフラップ天板付家具（使用姿勢）の右側面図。
【図６】同実施形態にかかるフラップ天板付家具（跳ね上げ姿勢）の右側面図。
【図７】同実施形態にかかるフラップ天板付家具（使用姿勢）の一部省略した部分拡大底面図。
【図８】同実施形態にかかるフラップ天板付家具の要部を拡大して示す分解斜視図。
【図９】同実施形態にかかるフラップ天板付家具の要部を拡大して示す分解斜視図。
【図１０】図７のＸ−Ｘ線断面で示す作用説明図。
【図１１】図７のＸ−Ｘ線断面で示す作用説明図。
【図１２】図７のＸ−Ｘ線断面で示す作用説明図。
【図１３】図７のＹ−Ｙ線断面で示す作用説明図。
【図１４】図７のＹ−Ｙ線断面で示す作用説明図。
【図１５】同実施形態にかかるフラップ天板付家具を模式的に示す作用説明図。
【図１６】同実施形態にかかるフラップ天板付家具を模式的に示す作用説明図。
【図１７】同実施形態にかかるフラップ天板付家具の作用説明図。
【図１８】同実施形態にかかるフラップ天板付家具の作用説明図。
【図１９】本発明の変形例にかかるフラップ天板付家具を模式的に示す作用説明図。
【図２０】同変形例にかかるフラップ天板付家具を模式的に示す作用説明図。
【発明を実施するための形態】
【００１４】
以下、本発明の一実施形態について図面を参照して説明する。
【００１５】
この実施形態は、図１〜図１８に示すように、本発明をいわゆるフラップテーブルと称されるフラップ天板付家具Ｔに適用した場合のものである。
【００１６】
このフラップ天板付家具Ｔは、図１〜図６及び図１０〜図１６に示すように、左右対をなす脚体１Ａ，１Ｂと、これら脚体１Ａ，１Ｂ上に配される天板２と、この天板２を前記各脚体１Ａ，１Ｂに天板使用姿勢（Ｕ）から跳ね上げ姿勢（Ｆ）までの間でフラップ動作し得るように支持させる左右対をなす天板支持機構３Ａ，３Ｂと、これら両天板支持機構３Ａ，３Ｂ同士を結合させる連結ビーム４と、前記天板２の使用端ｘ側の下方に配設された棚５と、前記天板２の反使用端ｙ側の下方に配設された幕板６１，６２を具備してなる。そして、前記左右の天板支持機構３Ａ，３Ｂと、これら天板支持機構３Ａ，３Ｂ同士を結合させる連結ビーム４とを主体としてプラットフォーム化の中核となるメカユニット７が構成されている。すなわち、このフラップ天板付家具Ｔは、支柱１１の下端部１１ａから前脚１３を前方に延出させた左右の脚体１Ａ，１Ｂと、これらの脚体１Ａ，１Ｂ上に主軸３７を介して配設され前記主軸３７まわりに天板使用姿勢（Ｕ）から跳ね上げ姿勢（Ｆ）までの間でフラップ動作する天板２と、この天板２の反使用端ｙ側に支持され前記天板２のフラップ動作に伴って幕板使用姿勢（Ｕ）から収納姿勢（Ｆ）までの間で作動する幕板６１とを備えたものである。
【００１７】
以下、前記各構成要素について詳述する。
【００１８】
＜脚体＞
前記右の脚体１Ｂは、図１〜図８に示すように、支柱１１と、この支柱１１の下端部１１ａから使用端ｘ側に延設された後脚１２と、この後脚１２よりも内側に位置させて前記支柱１１の下端部１１ａから反使用端ｙ側に延設された前脚１３と、これら後脚１２及び前脚１３の先端に設けたキャスタ１４とを備えてなる。
【００１９】
前記支柱１１は、図１〜図６及び図８に示すように、例えばアルミニウム合金を材料にして一体に作られた押し出し素材を所要長さに切断して作られるもので、その内部に下方からボルト１１１を装着可能な竪ネジ孔１１２を有する脚取付用ブロック１１３と、左右方向からボルト１１４を装着可能な横ネジ孔１１５及び位置決め孔１１６を有する軸プレート取付用ブロック１１７とが固設されている。この支柱１１の上端には、合成樹脂製のキャップ１１８が帽着されている。なお、前記横ネジ孔１１５及び位置決め孔１１６は、この支柱１１の起立面である内側面１１９にそれぞれ開口させてある。
【００２０】
前記後脚１２は、図１〜図８に示すように、基端側に前記支柱１１の下端に嵌合する嵌合部１２１を有したもので、その嵌合部１２１を貫通して前記支柱１１の竪ネジ孔１１２に下側から螺合させたボルト１１１により該支柱１１に取着されている。この後脚１２の外側面１２２と前記支柱１１の外側面１１０とは略面一に連続させてあり、前記前脚１３は、これら支柱１１及び後脚１２よりも内側に偏位させて設けてある。
【００２１】
前記前脚１３は、図１〜図７に示すように、基端側外側面１３１を前記後脚１２の基端側内側面１２３に一体化させたもので、この前脚１３と前記後脚１２とは、例えばアルミニウム合金を材料にして一体に作られたダイキャスト製のものである。すなわち、この前脚１３は前記後脚１２の嵌合部１２１を介して前記支柱１１の下端部１１ａに取り付けられている。なお、本実施形態の後脚１２及び前脚１３は、従来のものと比べてできる限り低い位置に設定されている。すなわち、脚体１Ｂの下面側に形成される前脚１２と後脚１３との間の角度を従来のものよりも大きくなるように設定して、前脚１２と後脚１３とからなる側面視「人型」の形状部分の高さ寸法を可及的に小さくしている。このようなものであるため、幕板６１の上下方向寸法を大きく設定した場合であっても、幕板６１が幕板使用姿勢（Ｕ）から収納姿勢（Ｆ）に作動する際の幕板６１の下端部が前脚１３の上面に当接するタイミングを遅くすることができる。また、前記後脚１２及び前記前脚１３の各中間部分は下方に開放された中空体状をなしており、内部に図示しない補強用のリブを備えている。
【００２２】
前記左の脚体１Ａは、図１〜図４及び図１０〜図１４に示すように、以上説明した右の脚体１Ｂと左右対称形状をなすものであり、同一又は対応する部分には同一の符号を付して説明を省略する。
【００２３】
前記左の脚体１Ａの後脚１２及び前記右の脚体１Ｂの後脚１２は、図１〜図４及び図７に示すように、後方に向って漸次その間隔が大きくなるように傾斜させてあるとともに、前記左の脚体１Ａの前脚１３及び前記右の脚体１Ｂの前脚１３は、前方に向って漸次その間隔が小さくなるように傾斜させてある。
【００２４】
上記の構成であるため、前記天板２を跳ね上げた状態で前記両脚体１Ａ，１Ｂの後脚１２，１２間に同一構造をなす図示しない他の家具の左右の前脚１３，１３を侵入させることによって、当該フラップ天板付家具Ｔの使用端ｘ側に、同一構造をなす他のフラップ天板付家具をスタッキングさせることができるようになっている。
【００２５】
＜天板＞
前記天板２は、図１〜図７及び図１０〜図１４に示すように、左右方向に細長い長方形状をなすものであり、使用端ｘ側の端部及び反使用端ｙ側の端部の形態以外は通常の木製天板と同様な構成をなしている。天板２の使用端ｘ側の端部は、後方に向かって厚み寸法が漸次小さくなる傾斜面２４を下面２１側に有している。天板２の反使用端ｙ側の端部は、前方に向かって厚み寸法が漸次小さくなる傾斜面２５を下面２１側に有している。すなわち、この天板２は、全体として側面視船底形状をなしており、使用端ｘ及び反使用端ｙは薄く見えるように成形されている。この天板２の下面２１における左右両端部には、天板受け取付用の埋設ナット２２が設けられている。そして、左右方向中央に天板２の中央部が下方にたわむのを防止するための天板たわみ防止部材２６が取り付けられている。
【００２６】
＜天板支持機構＞
前記右の天板支持機構３Ｂは、図１〜図４、図７及び図８に示すように、前記脚体１Ａに取り付けられる軸プレート３１と、この軸プレート３１に軸支持され上面で前記天板２を受ける天板受け３２と、この天板受け３２を前記天板使用姿勢（Ｕ）及び前記跳ね上げ姿勢（Ｆ）に選択的にロックするためのロック爪３３と、前記天板受け３２の上面から前記天板２の下面２１までの距離を確保するためのスペーサ３４とを配してなるものである。なお、このスペーサ３４は、本実施形態では天板２の高さ調整を行うために用いられたが、天板支持機構３Ｂの必須要素ではない。すなわち、この天板支持機構３Ｂは、前記脚体１Ｂに取り付けられ上半にヘッド部３６を有した軸プレート３１と、この軸プレート３１のヘッド部３６に主軸３７を用いて軸支持された天板受け３２と、この天板受け３２内に配設された天板ロック用のロック爪３３とを備えたものである。
【００２７】
前記軸プレート３１は、図３、図７、図８及び図１０〜図１２に示すように、前記取付面３５１を有した取付部３５と、この取付部３５から上方に延出し前記天板受け３２を主軸３７を介して軸支持するヘッド部３６とを備えたものである。前記取付部３５は、外側に取付面３５１を有したものである。
【００２８】
前記取付部３５は、図７、図８及び図１０〜図１２に示すように、前記支柱１１の横ネジ孔１１５に対応する複数の第１のボルト挿通孔３５２と、前記連結ビーム４の軸心に対応する第２のボルト挿通孔３５５とを備えている。第１のボルト挿通孔３５２は、内側からボルト１１４を挿通して当該軸プレート３１と脚体１Ｂとを結合するためのもので、内方端にボルト１１４の頭部を収容する座ぐり孔を備えている。第２のボルト挿通孔３５５は、外側からボルト３５６を挿通して当該軸プレート３１と前記連結ビーム４の一端とを結合するためのもので、外方端にボルト３５６の頭部を収容する座ぐり孔を備えている。なお、この取付部３５の取付面３５１には、前記支柱１１の位置決め孔１１６に嵌合する位置決めピン３８が突設されている。
【００２９】
前記軸プレート３１のヘッド部３６は、図８及び図１０〜図１２に示すように、前記天板使用姿勢（Ｕ）に達した天板２を前記天板受け３２を介して上端面３９１により受け止めるヘッド部本体３９と、このヘッド部本体３９の一側に設けられ前記ロック爪３３が選択的に係わり合う第１、第２の係止部３０１，３０２を有した爪受け３０とを備えている。すなわち、前記軸プレート３１のヘッド部３６は、前記天板使用姿勢（Ｕ）に達した天板２を上端面３９１により受け止めるヘッド部本体３９と、このヘッド部本体３９の一側に設けられ前記ロック爪３３と係わり合って前記天板２を天板使用姿勢（Ｕ）にロックする第１の係止部３０１及び前記ロック爪３３と係わり合って前記天板２を跳ね上げ姿勢（Ｆ）にロックする第２の係止部３０２を有する爪受け３０とを備えたものである。そして、前記爪受け３０の前記ロック爪３３に対面する側の端縁３０３は、前記ヘッド部本体３９の端縁３９２よりも奥に控えた位置に配されている。
【００３０】
前記爪受け３０は、図８及び図１０〜図１２に示すように、前記ヘッド部本体３９と一体に成形されたもので、前記ヘッド部本体３９の外側に配されている。すなわち、前記軸プレート３１は、アルミダイキャスト製のもので、前記ヘッド部本体３９及び前記爪受け３０からなるヘッド部３６と、前記取付部３５とは、一体に成形されている。
【００３１】
前記天板受け３２は、図５及び図８〜図１２に示すように、前記天板２の下面２１に取り付けられる上板３２１と、この上板３２１の両側縁から延出され前記ヘッド部３６の両側に位置する対をなす側板３２２，３２３とを備えたものである。具体的には、この天板受け３２は、板金素材を折り曲げ成形することにより前記上板３２１と前記両側板３２２，３２３とを一体に形成したものであり、前記両側板３２２，３２３は、大きな力が作用した際に離間する方向に弾性的に変位可能なものである。
【００３２】
前記上板３２１は、図８〜図１２に示すように、天板２の下面２１に密着する平板状のもので、スペーサ３４のボルト挿通孔３４１を介して前記埋設ナット２２に螺着されるボルト３２４により天板２に取り付けられている。なお、図１０〜図１２ではスペーサ３４を中実に示している。
【００３３】
前記側板３２２，３２３は、図５、図６及び図８〜図１２に示すように、この上板３２１の両側縁から延出され前記ヘッド部３６の両側に位置するものである。前記両側板３２２，３２３には、前記主軸３７が貫通する主軸用貫通孔３２５と、ロック爪３３を支持する駆動軸３３３が貫通するロック爪用貫通孔３２６とが設けられている。
【００３４】
前記ロック爪３３は、図８及び図１０〜図１２に示すように、例えば、先端側に屈曲部３３１を備えた鎌状のもので、基端部３３２に前記駆動軸３３３が一体回転可能に貫装されている。駆動軸３３３の外方端３３４は、一方の側板３３２から外側方に突出しており、その外方端３３４にロック解除用の操作レバー３３０が装着されている。このロック爪３３は、図示しないねじりコイルスプリング等により軸プレート３１の爪受け３０方向に回動付勢されている。ロック爪３３は、天板使用姿勢（Ｕ）においては、このロック爪３３の屈曲部３３１が前記爪受け３０の第１の係止部３０１に係わり合い、跳ね上げ姿勢（Ｆ）においては、前記屈曲部３３１の先端が前記爪受け３０の第２の係止部３０２に係わり合うようになっている。
【００３５】
なお、このロック爪３３は、図８に示すように、屈曲部３３１の先端に向かって漸次薄くなるように成形されており、前記係止部３０１，３０２に係わり合う先端には、カム面３３５が形成されている。このカム面３３５は、前記ロック爪３３が強い衝撃力を受けて軸プレート３１に押し付けられた際に、このロック爪３３を厚み方向に案内して、その先端部を軸プレート３１の外側面と前記天板受け３２の外側の側板３２３との間に、当該天板受け３２の弾性変形を惹起させながら食い込むようにするためのものである。すなわち、ロック爪３３の先端に工夫をこらしていない従来の構成のものであれば、跳ね上げ姿勢（Ｆ）においてフラップ天板付家具Ｔ全体が前方に倒れた場合、天板２の使用端ｘが床面に衝突した瞬間にメカユニット７、あるいはメカユニット７と天板２との接続部分に極めて大きな衝撃力が作用して、いずれかの部位が破壊されるという不具合を招くおそれがある。しかしながら、本実施形態のような構成によれば、このような不具合を解消または抑制することができる。
【００３６】
すなわち、以上のような構造によれば、図１５に示すように、転倒により天板２の使用端ｘが床面に衝突してロック爪３３の先端が軸プレート３１に強く押し付けられた場合、ロック爪３３の先端に形成されたカム面３３５の案内作用によりロック爪３３が側方に偏位する。そして、このロック爪３３の先端が軸プレート３１と天板受け３２の側板３２３との間に入り込んで、ロック状態が解除され、図１６に示すように天板２全体が床面に当接した状態で停止する。天板２全体が床面に当接した状態では、天板２を脚体１Ａ，１Ｂに対して回転させようとする外力が働かないことになるため、各部に無理な応力が作用することを大幅に緩和することができる。
【００３７】
この天板支持機構３Ｂは、前記ロック爪３３及び前記ヘッド部３６を隠ぺいするようにして前記天板受け３２に設けられたカバー３２７を備えているとともに、使用者の膝で操作レバー３３０が誤操作されるのを防止するためのキックガード３３６を備えている。
【００３８】
前記キックガード３３６は、図３、図５〜図７及び図９〜図１２に示すように、天板受け３２の使用端ｘ側の端部外側に設けられたもので、使用者の膝により押し上げられた操作レバー３３０がロック解除位置（Ｕ）に達するまでの手前位置で前記膝の上動を禁止することができる高さ寸法に設定されている。すなわち、操作レバー３３０は、図５に二点鎖線で示すように、最も低位に保持されるロック位置（Ｌ）と、最も高位まで回動されるロック解除位置（Ｕ）との間で手動操作可能な形状に設計されており、前記キックガード３３６とは干渉しないように設けられている。つまり、手で引き上げる際には、ロック位置（Ｌ）からロック解除位置（Ｕ）まで、何らの支障もなく操作レバー３３０を操作することができる。しかしながら、使用者の膝で操作レバー３３０を上方に回動させた場合には、その膝は前記キックガード３３６に当接して、操作レバー３３０をロック解除位置（Ｕ）まで回動させることができないようになっている。
【００３９】
前記左の天板支持機構３Ａは、図３、図４、図１３及び図１４に示すように、以上説明した右の天板支持機構３Ｂと左右対称形状をなすものであり、同一又は対応する部分には同一の符号を付して説明を省略する。
【００４０】
＜連結ビーム＞
前記連結ビーム４は、図３、図４、図７、図８、図１３及び図１４に示すように、横断面円形をなすパイプ素材を所定長さに切断してなるビーム本体４２と、このビーム本体４２内の両端近傍部に剛結された固定ナット板４３とを備えたもので、前記固定ナット板４３の中心に前記ボルト３５６が螺着されるネジ孔４４が形成されている。そして、この連結ビーム４により前記左右の天板支持機構３Ａ，３Ｂ同士を結合させることにより、前記メカユニット７が構成されている。
【００４１】
＜メカユニット＞
前記メカユニット７は、図３、図８、図１３及び図１４に示すように、左右に対をなす天板支持機構３Ａ，３Ｂと、これら天板支持機構３Ａ，３Ｂの軸プレート３１，３１同士を連結する前記連結ビーム４と、前記天板支持機構３Ａ，３Ｂの駆動軸３３３，３３３同士を連結する操作連動ビーム７１とを備えたものである。
【００４２】
前記軸プレート３１と前記連結ビーム４との結合は、連結ビーム４の端面を軸プレート３１の内側面に当接させ、軸プレート３１の外側面側から第２のボルト挿通孔３５５に挿入したボルト３５６を前記連結ビーム４のネジ孔４４に螺合させ緊締することにより行われる。前記ボルト３５６をネジ孔４４に締着した状態では、前記ボルト３５６の頭部が前記軸プレート３１の座ぐり孔に埋没するようになっている。
【００４３】
また、これら両天板支持機構３Ａ，３Ｂにおける軸プレート３１，３１の外側に形成された取付面３５１，３５１を左右に対をなす脚体１Ａ，１Ｂの内側に形成された起立面にそれぞれ取り付けている。すなわち、前記脚体１Ａ，１Ｂと前記軸プレート３１との結合は、脚体１Ａ，１Ｂの支柱１１に設けられた起立面である内側面１１９に軸プレート３１の取付部３５に形成された取付面３５１を添接させ、前記取付部３５に設けられた第１のボルト挿通孔３５２に挿入したボルト１１４を前記支柱１１のネジ孔１１５に螺合させ緊締することにより行われる。なお、脚体１Ａ，１Ｂの支柱１１の起立面である内側面１１９に軸プレート３１の取付面３５１を添接させる際に、前記軸プレート３１に設けられた位置決めピン３８が前記支柱１１に設けられた位置決め孔１１６に嵌合し、軸プレート３１と支柱１１との位置決めがなされるようになっている。これによって、そのメカユニット７の外側に前記脚体１Ａ，１Ｂがそれぞれ配されることになる。
【００４４】
＜棚＞
前記棚５は、図３〜図５、図７、図１０、図１１、図１３及び図１４に示すように、左右対をなす側フレーム５１，５２と、これら側フレーム５１，５２間に架設される横架材５３とを備えたものである。前記側フレーム５１，５２はそれぞれ、基端部を前記連結ビーム４に回動可能に支持させるとともに、先端部を自由端タイプのリンクステー５４を介して前記天板２の使用端ｘ側、具体的には、天板受け３２の内側の側板３２２，３２３に支持させたもので、その内側面に前記横架材５３の端部を保持する図示しない保持孔を備えている。側フレーム５１，５２の基端部はそれぞれ、天板使用姿勢（Ｕ）において下方に開放された形態をなし、上側から前記連結ビーム４に対して着脱し得る形態をなしている。具体的には、前記棚５の側フレーム５１，５２の基端部はそれぞれ、前記連結ビーム４に対して径方向から部材の一時的な弾性変形を利用して着脱し得る側面視Ｃ字形をなすものである。
【００４５】
＜幕板＞
この実施形態のフラップ天板付家具Ｔは、図１〜図７及び図１０〜図１４に示すように、それぞれ剛性を有した複数の幕板６１，６２と、これらの幕板６１，６２を互いの動きを阻害しないように各幕板使用姿勢（Ｕ）から各収納姿勢（Ｆ）までの間で作動させる幕板作動機構８とを備えている。詳述すれば、このフラップ天板付家具Ｔは、複数の幕板６１，６２、具体的には、第１の幕板６１と、第２の幕板６２とを備えている。
【００４６】
前記第１の幕板６１は、図１〜図７及び図１０〜図１４に示すように、前記天板２の下面２１との間に隙間６３を形成して下肢空間の前面側に配されており、正面視長方形状をなすものである。第１の幕板６１は、例えば木製のもので、左右両端部を前記左右の脚体１Ａ，１Ｂの前脚１３上に延在させたものである。第１の幕板６１の内面には、上方に開放された樋状をなす配線ダクト６４が前記隙間６３とほぼ平行に設けられている。
【００４７】
前記第２の幕板６２は、図１〜図３及び図１０〜図１４に示すように、前記隙間６３に配されており、正面視長方形状をなすものである。第２の幕板６２は、合成樹脂製の幕板本体６２１と、この幕板本体６２１の左右両端部に装着したキャップ６２２とを備えたものである。
【００４８】
前記幕板作動機構８は、図５〜図７及び図１０〜図１４に示すように、前記天板２のフラップ動作を利用して各幕板６１，６２を動かすもので、前記幕板６１，６２同士を互いに摺接させながら動かすようになっている。具体的には、前記幕板作動機構８は、前記第１の幕板６１の上縁側を前記天板２に懸吊支持させる懸吊機構８１と、前記第１の幕板６１の下縁側を前記脚体１Ａ，１Ｂに連結し第１の幕板６１の下縁側の動きを規制するリンクステー８２と、前記第２の幕板６２の上縁側を前記天板２に回動可能に支持させるヒンジ８３とを備えたものである。
【００４９】
前記懸吊機構８１は、図５、図６及び図１０〜図１４に示すように、前記天板２に固定された天板側ブラケット８４と、前記第１の幕板６１に固定された幕板側ブラケット８５と、これらブラケット８４，８５同士を連結するピン状の連結要素８６とを備えたものである。
【００５０】
前記天板側ブラケット８４は、図５、図６、図１０〜図１４、図１７及び図１８に示すように、先端側に前記連結要素８６の略上下方向の遊動を許容する長孔８７を設けたものである。長孔８７は、図１７及び図１８に示すように、連結要素８６を安定保持する中央部分８７１と、この中央部分８７１から上方に延び前記第１の幕板６１が幕板使用姿勢（Ｕ）と収納姿勢（Ｆ）との間で動く際に、前記連結要素８６が上下方向に往復動作するのを許容するための遊動部分８７２と、前記中央部分８７１から前方に伸び前記第１の幕板６１が前記支柱１１から離れる方向に一定以上遊動するのを禁止するためのロック部分８７３とを備えたものである。
【００５１】
前記幕板側ブラケット８５は、図５、図６、図１０〜図１４、図１７及び図１８に示すように、先端側に前記連結要素８６の幕板６１厚み方向への遊動を許容する逃げ孔８８を設けたものである。逃げ孔８８は、図１７及び図１８に示すように、第１の幕板６１に作用する重力により連結要素８６を安定保持する中央部分８８１と、この中央部分８８１から斜め下後方に延び前記第１の幕板６１が前記支柱１１から離れる方向に遊動するのを許容するための後半部分８８２と、前記中央部分８８１から斜め下前方に延び前記第１の幕板６１が前記天板２から離れる方向に遊動するのを許容するための前半部分８８３とを備えたものである。
【００５２】
前記連結要素８６は、図５、図６及び図１０〜図１４に示すように、前記逃げ孔８８と前記長孔８７に貫通させて脱落不能に設けてある。そのため、この連結要素８６は、前記長孔８７及び逃げ孔８８に沿って適宜移動し得るものであり、前記主軸３７を中心にした円弧軌道から外れた軌道に沿って移動するようになっている。すなわち、この連結要素８６は、前記天板２と前記幕板６１とを回転及びスライド可能に連結するピン状のものである。
【００５３】
前記リンクステー８２は、図１、図３、図５、図７及び図１０〜図１４に示すように、自由端タイプのもので、一端を前記第１の幕板６１の下縁近傍に設けたブラケット６５に枢着するとともに、他端を前記脚体１Ａ，１Ｂの支柱１１に枢着したものである。リンクステー８２の長さ寸法は、幕板使用姿勢（Ｕ）において第１の幕板６１がほぼ鉛直に垂下するとともに、収納姿勢（Ｆ）において第１の幕板６１の下縁が脚体１Ａ，１Ｂの前脚１３のごく近傍に位置するように設定してある。
【００５４】
前記ヒンジ８３は、図５、図６及び図１０〜図１４に示すように、前記第２の幕板６２を天板２の下面２１に前後方向に回動可能に支持させるためのものである。
【００５５】
次いで、この実施形態の作動を説明する。
【００５６】
前記天板使用姿勢（Ｕ）においては、図１〜図５、図７、図１０及び図１３に示すように、天板２は水平に保持され、ロック爪３３が第１の係合部３０１に係合してこの天板使用姿勢（Ｕ）が維持される。この状態から、操作レバー３３０を上方に回動操作してロック爪３３を第１の係合部３０１から離脱させ、天板２の使用端ｘ側を持ち上げると、この天板２は主軸３７を中心として回動する。その際、図１１に示すような途中段階を経た後、図６、図８、図１２及び図１４に示すような跳ね上げ姿勢（Ｆ）において、前記ロック爪３３が第２の係合部３０２に係合してロックされる。
【００５７】
前記天板使用姿勢（Ｕ）においては、第１の幕板６１は、懸吊機構８１とリンクステー８２との協働によりほぼ鉛直方向に垂下した状態に維持されている。一方、第２の幕板６２は、自重により垂下しその下端部が前記第１の幕板６１の上縁部内面に添接した状態となっている。なお、これら第１，第２の幕板６１，６２の添接部分に、両者を磁力により添接状態を維持するための図示しないマグネットキャッチを設けておいてもよい。
【００５８】
この状態から、前述したように天板２を跳ね上げ姿勢（Ｆ）にまで回動させると、その途上において、図１１に示すように、前記第２の幕板６２が前記第１の幕板６１の上縁に押圧されて天板２側に回動して、最終的に図１２に示すように、第１の幕板６１の前面側に回り込むことになる。かかる動作が行われる際の第１の幕板６１の動きは、次のようなものである。すなわち、天板使用姿勢（Ｕ）においては、連結要素８６が天板側ブラケット８４の長孔８７の中央部分８７１である下端に位置するとともに、幕板側ブラケット８５の逃げ孔８８の中央部分８８１に位置した状態で、前記第１の幕板６１が天板２に懸吊支持されている。天板２が天板使用姿勢（Ｕ）から跳ね上げ姿勢（Ｆ）方向に回動すると、この状態を維持したまま第１の幕板６１が後退しつつ下降することになる。その際、跳ね上げ姿勢（Ｆ）の近傍から跳ね上げ姿勢（Ｆ）に到達するまでの最終作動領域においては、リンクステー８２の働きにより第１の幕板６１の下降度合いが抑制され、跳ね上げ姿勢（Ｆ）に到達した段階で第１の幕板６１の下端が前脚１３の上端に近接した状態となる。かかる最終作動領域にさしかかると、この第１の幕板６１を支持している連結要素８６が天板側ブラケット８４に対して相対的に上動する。そのため、主軸３７を中心とする円弧軌道から外れた軌道を通ることになる。このように、跳ね上げ姿勢（Ｆ）に至るまでの間に、前記連結要素８６が一旦長孔８７の遊動部分８７２の上側まで移動した後に中央部分８７１へと戻るように移動する。
【００５９】
以上の動作が行われる際に、図１７に示すように、第１の幕板６１と支柱１１との間に指や手などの介在物Ｆが存在した場合には、第１の幕板６１に前方への付勢力が働くことになる。そのため、前記連結要素８６が幕板側ブラケット８５の逃げ孔８８の中央部分８８１から後半部分８８２に移行して、その介在物Ｆに大きな挟圧力が作用するのを抑制することができる。なお、この際、前記連結要素８６は、天板側ブラケット８４の長孔８７のロック部分８７３に移行している。
【００６０】
一方、図１８に示すように、第１の幕板６１と天板２との間に指や手などの介在物Ｆが存在した場合には、第１の幕板６１に後方への付勢力が働くことになる。そのため、前記連結要素８６が幕板側ブラケット８５の逃げ孔８８の中央部分８８１から前半部分８８３に移行して、その介在物Ｆに大きな挟圧力が作用するのを抑制することができる。前記介在物Ｆが天板２と第１の幕板６１の上端部付近に存在する場合には、前述したように第１の幕板６１が後方に逃げるだけでなく、第２の幕板６２が前方に回動して、その介在物Ｆに大きな挟圧力が作用するのを抑制することになる。なお、この際、前記連結要素８６は、天板側ブラケット８４の長孔８７のロック部分８７３に移行している。
【００６１】
＜本実施形態の効果＞
以上に述べたように、本実施形態にかかるフラップ天板付家具Ｔは、支柱１１の下端部から前脚１３を前方に延出させた左右の脚体１Ａ，１Ｂと、これらの脚体１Ａ，１Ｂ上に主軸３７を介して配設され前記主軸３７まわりに天板使用姿勢（Ｕ）から跳ね上げ姿勢（Ｆ）までの間でフラップ動作する天板２と、この天板２の反使用端ｙ側に懸吊支持され前記天板２のフラップ動作に伴って幕板使用姿勢（Ｕ）から収納姿勢（Ｆ）までの間で作動する幕板６１とを備えたものであって、前記幕板６１が、左右両端部を前記左右の脚体１Ａ，１Ｂの前脚１３上に延在させたものであり、この幕板６１を前記主軸３７を中心にした円弧軌道から外れた軌道に沿って移動する連結要素８６を介して前記天板２に支持させてなる。
【００６２】
このように円弧軌道から外れて動く連結要素８６により幕板６１が天板２に支持されているため、幕板６１の上下方向寸法を自由に設計することができる。すなわち、本実施形態のように、前脚１３の上面と幕板６１の下端との干渉を抑制するように幕板６１の支持箇所が下方に下がりすぎないように設定すれば、幕板６１の上下方向寸法を大きく設定することができる。したがって、布等の可撓性を有するものではなく剛性を有する幕板６１であっても隠蔽する面積を広くとることが可能となる。
【００６３】
特にこの実施形態においては、幕板６１の左右両端部が前脚１３の上まで延在しているので、幕板６１の左右幅寸法も大きくすることができる。そのため、幕板６１を上下及び左右方向に大きく設計でき、広い範囲にわたって隠蔽することが可能となる。
【００６４】
また、本実施形態の連結要素８６は、前記天板２と前記幕板６１とを回転及びスライド可能に連結するピン状のものであるので、比較的簡単な構成で前述した連結要素８６の動きを実現できる。
【００６５】
前記連結要素８６が、前記天板２に固定された天板側ブラケット８４と、前記幕板６１に固定された幕板側ブラケット８５とを連結するピン状のものであり、前記天板側ブラケット８４に前記連結要素８６の略上下方向の遊動を許容する長孔８７を設けているので、幕板６１の下端部が前脚１３の上面に当接した際に、連結要素８６を上下方向に逃がすことができる。そのため、幕板６１及びリンクステー８２に無理な力がかからないようにすることが可能となる。
【００６６】
前記連結要素８６が、前記天板２に固定された天板側ブラケット８４と、前記幕板６１に固定された幕板側ブラケット８５とを連結するピン状のものであり、前記幕板側ブラケット８５に前記連結要素８６の幕板６１厚み方向への遊動を許容する逃げ孔８８を設けているので、幕板６１の前面側もしくは背面側に指やもの等の介在物Ｆが挟まった際に、連結要素８６を前後方向に逃がすことができる。そのため、介在物Ｆに大きな挟圧力が作用するのを抑制できる。特に、本実施形態の逃げ孔８８は、中央部分８８１から前後方向の両側に延びるものであるため、幕板６１を前後両側に動かすことができる。
【００６７】
また、収納姿勢（Ｆ）において第１の幕板６１の下縁が脚体１Ａ，１Ｂの前脚１３のごく近傍に位置するようにリンクステー８２の長さ寸法が設定してあるので、第１の幕板６１の上下幅寸法を最大限にすることができる。
【００６８】
本実施形態では、天板２が、使用端ｘ側の端部及び反使用端ｙ側の端部にそれぞれ傾斜面２４、２５を有した側面視船底形状をなすものであるので、従来のような角張りがなくなり、使用感や見た目を良好なものとすることができる。特に、使用端ｘ及び反使用端ｙが薄く見えるように成形されているので、比較的重量のある天板２の見た目を軽快なものとすることができる。
【００６９】
さらに、このような比較的重量のある天板２は、操作レバー３３０がロック解除位置（Ｕ）にある場合にバランスが崩れやすくなるが、本実施形態のフラップ天板付家具Ｔは、キックガード３３６を備えているため、使用者の膝で操作レバー３３０が誤操作されるのを防止することができる。
【００７０】
また、第２の幕板６２が本実施形態のような構成であるため、第２の幕板６２を後方に押圧することにより隙間６３を自由に開放することができる。そのため、この隙間６３から手を入れて前記配線ダクト６４へアクセスが容易となり、配線作業の円滑化を図ることができる。また、ヒンジ８３によって回動可能に支持されている第２の幕板６２に沿って配線ダクト６４が配されているため、当該配線ダクト６４上に配置した電源コード等を第２の幕板６２を回動させて表側、すなわち天板２の反使用端ｙ側へ引っ張り出し、天板２上に載置したノートパソコン等の電子機器端末に接続するという使い方が可能となる。
【００７１】
なお、本発明は以上に述べた実施形態に限られない。
【００７２】
例えば、フラップ天板付家具は、単一の幕板を備えたものであってもよい。すなわち、上述した実施形態では、複数の幕板を備えたフラップ天板付家具において本発明の幕板を第１の幕板に適用するようにしていたが、第２の幕板を備えていないものであってもよい。また、第２の幕板を備えている場合であっても、当該第２の幕板は、例えば布等の可撓性のある材料で形成されたものを適用する等、上述したものに限られず種々変更可能である。
【００７３】
以上の実施形態においては、ピン状の連結要素を天板側ブラケットの長孔に沿って移動させることにより、当該連結要素が主軸を中心にした円弧軌道から外れた軌道に沿って移動するようにしたが、本発明はこのようなものに限定されず例えば、図１９及び図２０に示すようなものであってもよい。すなわち、図１９及び図２０に示すものは、天板２の下面２１に設けた天板側ブラケットに対応するレール８９に板状の連結要素８６を前後方向に回動及びスライド可能に保持させ、この連結要素８６に幕板６１の上端側を支持させるようにしたものである。このようなものであっても、上述した実施形態に準じた作用効果を得ることができる。なお、図１９及び図２０において、上述した実施形態に対応する部分には同一の符号を付して説明を省略する。
【００７４】
また、本発明の脚体は、上述した実施形態のものには限られない。例えば、上述した実施形態のような側面視逆Ｙ字状をなす脚体の他に、支柱とこの支柱の下端部から使用端側及び反使用端側にそれぞれ延設された前脚及び後脚とを備えた側面視逆Ｔ字状をなす脚体や、支柱とこの支柱の下端部から反使用端側に延設された脚ベースとを備えた側面視Ｌ字状をなす脚体の他、種々変更可能である。また、同一構造をなす他の家具をスタッキング可能なものだけでなく、スタッキングができない構造を有する脚体であってもよい。
【００７５】
また、本発明のフラップ天板付家具は、移動可能なものには限られず、上述したキャスタを備えないものであってもよい。
【００７６】
その他、本発明の趣旨を損ねない範囲で種々に変更してよい。
【符号の説明】
【００７７】
Ｔ…フラップ天板付家具
１Ａ，１Ｂ…脚体
１１…支柱
１３…前脚
２…天板
（Ｕ）…天板使用姿勢
（Ｆ）…跳ね上げ姿勢
ｙ…反使用端
３７…主軸
６１…幕板
（Ｕ）…幕板使用姿勢
（Ｆ）…収納姿勢
８４…天板側ブラケット
８５…幕板側ブラケット
８６…連結要素
８７…長孔
８８…逃げ孔
【図１】
2015089425.tif 000003
【図２】
2015089425.tif 000004
【図３】
2015089425.tif 000005
【図４】
2015089425.tif 000006
【図５】
2015089425.tif 000007
【図６】
2015089425.tif 000008
【図７】
2015089425.tif 000009
【図８】
2015089425.tif 000010
【図９】
2015089425.tif 000011
【図１０】
2015089425.tif 000012
【図１１】
2015089425.tif 000013
【図１２】
2015089425.tif 000014
【図１３】
2015089425.tif 000015
【図１４】
2015089425.tif 000016
【図１５】
2015089425.tif 000017
【図１６】
2015089425.tif 000018
【図１７】
2015089425.tif 000019
【図１８】
2015089425.tif 000020
【図１９】
2015089425.tif 000021
【図２０】
2015089425.tif 000022